(57)【特許請求の範囲】
【請求項１】
二重ガラスサッシ内に横型ブラインドを配設し、前記横型ブラインドのスラットをモータの正逆転動作に基づいて角度調節可能とした電動内包ブラインドにおいて、
前記二重ガラスサッシ内に、光の照射に基づいて前記モータを正転方向に回転させる電力を該モータに供給する第一の太陽電池と、光の照射に基づいて前記モータを逆転方向に回転させる電力を該モータに供給する第二の太陽電池とを設け、前記二重ガラスサッシ外において、前記第一及び第二の太陽電池に対向する位置には、該第一及び第二の太陽電池のいずれかを選択して光を照射可能とした照射装置を設けたことを特徴とする電動内包ブラインドの制御装置。
【請求項２】
前記照射装置は、前記太陽電池に電力を発生させるための照射光を出力する一対のランプと、前記ランプを選択して点灯させる一対のスイッチとで構成したことを特徴とする請求項１記載の電動内包ブラインドの制御装置。
【請求項３】
前記各スイッチは、その操作に基づいてそれぞれリレーコイルを励磁可能とし、前記リレーコイルの励磁に基づいて動作するリレー接点は、前記スイッチの一方のみが操作されたとき、当該スイッチに対応するランプに電源を供給することを特徴とする請求項２記載の電動内包ブラインドの制御装置。
【請求項４】
前記各太陽電池は、前記モータに対し互いに逆極性となるように接続し、各太陽電池とモータとの間には、前記スラットが垂直方向となるまで回動されたとき、各太陽電池からモータへの電力の供給を遮断するリミットスイッチを介在させたことを特徴とする請求項１乃至３のいずれかに記載の電動内包ブラインドの制御装置。
【請求項５】
前記各太陽電池を室内側に向かって取着し、前記ランプを各太陽電池に対向するように配設したことを特徴とする請求項２乃至４のいずれかに記載の電動内包ブラインドの制御装置。
【発明の詳細な説明】
【０００１】
【発明の属する技術分野】
この発明は、サッシに内包される電動ブラインドに関するものである。
【０００２】
【従来の技術】
電動ブラインドの一種類として、二重ガラスサッシ内に横型ブラインドが配設されたものがある。このようなサッシは、防音性及び断熱性を向上させるために、ガラスサッシの内外で高気密性を確保することが必要となっている。
【０００３】
このような電動内包ブラインドにサッシ外部から電源を供給する場合には、電源配線を介してサッシ内のモータに電源を供給したり、引き戸として窓枠上を移動するサッシには、ブラシ装置を介してサッシ内に電源を供給したり、あるいはサッシに電池パックを差し込む等の構成が採用される。
【０００４】
また、電動内包ブラインドをサッシ外から操作するために、窓枠近傍に設けられる操作スイッチの操作信号を、信号線を介してサッシ内のモータに出力したり、ブラシを介してサッシ内のモータに出力したり、あるいは、無線式のリモコンスイッチを使用して、サッシ内のモータを制御する構成が採用されている。
【０００５】
【発明が解決しようとする課題】
ところが、電源配線を介して電源を供給する構成、あるいは信号線を介して操作信号を伝達する構成では、配線の引き回し部分において高気密性を確保することが困難である。
【０００６】
また、ブラシを使用する構成では、安定して動作させるために機械的なメンテナンスが必要となり、その作業が煩雑である。
また、リモコンスイッチを使用する構成では、サッシ内に受光部及び制御回路が必要となり、電気的構成が複雑となるとともに、コストも上昇する。
【０００７】
この発明の目的は、二重ガラスサッシの気密性を確保しながら、サッシに内包された電動ブラインドを簡便な構成で制御し得る電動内包ブラインドの制御装置を提供することにある。
【０００８】
【課題を解決するための手段】
請求項１では、二重ガラスサッシ内に横型ブラインドを配設し、前記横型ブラインドのスラットをモータの正逆転動作に基づいて角度調節可能とした電動内包ブラインドにおいて、前記二重ガラスサッシ内に、光の照射に基づいて前記モータを正転方向に回転させる電力を該モータに供給する第一の太陽電池と、光の照射に基づいて前記モータを逆転方向に回転させる電力を該モータに供給する第二の太陽電池とを設け、前記二重ガラスサッシ外において、前記第一及び第二の太陽電池に対向する位置には、該第一及び第二の太陽電池のいずれかを選択して光を照射可能とした照射装置を設けた。
【０００９】
請求項２では、前記照射装置は、前記太陽電池に電力を発生させるための照射光を出力する一対のランプと、前記ランプを選択して点灯させる一対のスイッチとで構成した。
【００１０】
請求項３では、前記各スイッチは、その操作に基づいてそれぞれリレーコイルを励磁可能とし、前記リレーコイルの励磁に基づいて動作するリレー接点は、前記スイッチの一方のみが操作されたとき、当該スイッチに対応するランプに電源を供給する。
【００１１】
請求項４では、前記各太陽電池は、前記モータに対し互いに逆極性となるように接続し、各太陽電池とモータとの間には、前記スラットが垂直方向となるまで回動されたとき、各太陽電池からモータへの電力の供給を遮断するリミットスイッチを介在させた。
【００１２】
請求項５では、前記各太陽電池を室内側に向かって取着し、前記ランプを各太陽電池に対向するように配設した。
【００１３】
【発明の実施の形態】
以下、この発明を具体化した電動内包ブラインドの一実施の形態を図面に従って説明する。
【００１４】
図１に示す電動内包ブラインドは、二重ガラスサッシ１内に横型ブラインド２が内包される。前記横型ブラインド２のヘッドボックス３は、二重ガラスサッシ１の上枠４内に配設され、その上枠４からラダーコードを介して多数段のスラット５が吊下支持されている。
【００１５】
前記ヘッドボックス３内には、前記スラット５を角度調節するための角度調節軸６が回転可能に支持され、その角度調節軸６は、ヘッドボックス３の一側に配設されるモータ７により正逆転可能に回転駆動される。
【００１６】
従って、モータ７が作動して、角度調節軸６が回転されると、ヘッドボックス３内のスラット角度調節装置及びラダーコードを介して、各スラット５が同位相で角度調節される。
【００１７】
前記二重ガラスサッシ１内の上部には、２枚の太陽電池８ａ，８ｂが室内に向かって取着されている。そして、各太陽電池８ａ，８ｂに光が照射されると、その各太陽電池８ａ，８ｂの起電力により前記モータ７が正転あるいは逆転されるようになっている。
【００１８】
前記モータ７と太陽電池８ａ，８ｂとの接続回路を図４に従って説明すると、前記太陽電池８ａ，８ｂは、前記モータ７に対し並列に接続され、かつモータ７に対し互いに逆極性となるように接続されている。
【００１９】
前記各太陽電池８ａ，８ｂには、前記モータ７に対しそれぞれリミットスイッチ９ａ，９ｂが直列に接続されている。
リミットスイッチ９ａが閉路（導通）されている状態で、太陽電池８ａに光が照射されると、モータ７が正転されて各スラット５はその凸面が室内側となるように回動される。
【００２０】
そして、各スラット５がほぼ垂直方向となるまで回動されると、リミットスイッチ９ａが開路（不導通）されて、モータ７の作動が停止され、各スラット５の同方向へのそれ以上の回動が阻止される。
【００２１】
リミットスイッチ９ｂが閉路（導通）されている状態で、太陽電池８ｂに光が照射されると、モータ７が逆転されて各スラット５はその凸面が室外側となるように回動される。
【００２２】
そして、各スラット５がほぼ垂直方向となるまで回動されると、リミットスイッチ９ｂが開路（不導通）されて、モータ７の作動が停止され、各スラット５の同方向へのそれ以上の回動が阻止される。
【００２３】
前記太陽電池８ａ，８ｂに対向する位置には、ライトユニット１０が前記二重ガラスサッシ１のガラス面に接するように配設され、図２に示すように、そのライトユニット１０の前面にはハロゲンライトで構成されるランプ１１ａ，１１ｂが設けられている。
【００２４】
そして、ランプ１１ａ，１１ｂは、ライトユニット１０内でそれぞれ区画された状態で設けられ、ランプ１１ａの照射光は太陽電池８ａのみを照射し、ランプ１１ｂの照射光は太陽電池８ｂのみを照射するようになっている。
【００２５】
前記ライトユニット１０の電気的構成を図３に従って説明すると、直流電源１４のプラス側端子とマイナス側端子との間には、第一のスイッチ１２ａと、第一のリレーコイルＲｕとが直列に接続され、かつ第二のスイッチ１２ｂと、第二のリレーコイルＲｄとが直列に接続される。
【００２６】
前記第一及び第二のスイッチ１２ａ，１２ｂは、ライトユニット１０から離れて、前記二重ガラスサッシ１近傍の壁面等に設けられる。
直流電源１４のプラス側端子とマイナス側端子との間には、前記リレーコイルＲｕの励磁に基づいて動作する常開接点Ｒｕａと、前記リレーコイル１３ｂの励磁に基づいて動作する常閉接点Ｒｄｂと、前記ランプ１１ａとが直列に接続される。
【００２７】
また、直流電源１４のプラス側端子とマイナス側端子との間には、前記リレーコイルＲｄの励磁に基づいて動作する常開接点Ｒｄａと、前記リレーコイルＲｕの励磁に基づいて動作する常閉接点Ｒｕｂと、前記ランプ１１ｂとが直列に接続される。
【００２８】
このような構成により、第一のスイッチ１２ａが閉路されてリレーコイルＲｕが励磁されると、常開接点Ｒｕａが閉路されるとともに、常閉接点Ｒｄｂが閉路状態に維持される。また、常開接点Ｒｄａは開路状態に維持され、常閉接点Ｒｕｂは開路される。従って、ランプ１１ａが点灯される。
【００２９】
また、第二のスイッチ１２ｂが閉路されてリレーコイルＲｄが励磁されると、常閉接点Ｒｄｂが開路されるとともに、常開接点Ｒｕａが開路状態に維持される。また、常開接点Ｒｄａは閉路され、常閉接点Ｒｕｂは閉路状態に維持される。従って、ランプ１１ｂが点灯される。
【００３０】
次に、上記のように構成された電動内包ブラインドの動作を説明する。
第一のスイッチ１２ａを閉路すると、ランプ１１ａが点灯され、その光が太陽電池８ａに照射される。すると、モータ７が正転されて、スラット５はその凸面が室内側となるように回動される。そして、各スラット５がほぼ垂直方向となるまで回動されると、リミットスイッチ９ａが開路されて、モータ７の作動が停止される。
【００３１】
第二のスイッチ１２ｂを閉路すると、ランプ１１ｂが点灯され、その光が太陽電池８ｂに照射される。すると、モータ７が逆転されて、スラット５はその凸面が室外側となるように回動される。そして、各スラット５がほぼ垂直方向となるまで回動されると、リミットスイッチ９ｂが開路されて、モータ７の作動が停止される。
【００３２】
また、誤って第一及び第二のスイッチ１２ａ，１２ｂがともに閉路されたとき、常閉接点Ｒｄｂ，Ｒｕｂはともに開路されるため、ランプ１１ａ，１１ｂは双方とも消灯状態となる。
【００３３】
従って、第一及び第二のスイッチ１２ａ，１２ｂの誤操作によって太陽電池８ａ，８ｂがともに電力を発生する状態となることはない。
上記のように構成された電動内包ブラインドでは、次に示す作用効果を得ることができる。
（１）第一及び第二のスイッチ１２ａ，１２ｂの操作により、モータ７を作動させて、スラット５の角度調節操作を行うことができる。
（２）ライトユニット１０から太陽電池８ａ，８ｂに光を照射することにより、モータ７への電源の供給及びモータ７の回転方向の制御を行うことができる。
（３）モータ７へ電源を供給するために、二重ガラスサッシ１の外部から電源を供給する必要はない。従って、二重ガラスサッシ１の外部から電源を供給するための電源配線を必要としないので、二重ガラスサッシ１の気密性を向上させることができる。
（４）第一及び第二のスイッチ１２ａ，１２ｂの操作による操作信号をモータ７に伝達するための信号線を必要としないので、二重ガラスサッシの気密性を向上させることができる。
（５）二重ガラスサッシ１内に収納する電気回路は、太陽電池８ａ，８ｂ、モータ７及びリミットスイッチ９ａ，９ｂのみで、簡便に構成することができる。
（６）ライトユニット１０は、リレーとランプ１１ａ，１１ｂのみで、簡便に構成することができる。
（７）第一及び第二のスイッチ１２ａ，１２ｂを誤ってともに閉路しても、ランプ１１ａ，１１ｂの同時点灯を防止することができる。従って、ランプ１１ａ，１１ｂの同時点灯による太陽電池８ａ，８ｂあるいはモータの破損を未然に防止することができる。
【００３４】
上記実施の形態は、次に示すように変更することもできる。
・太陽電池の起電力を増大させて、スラットの角度調節操作に続いて、モータによりスラットの昇降装置を駆動して、スラットの引き上げ操作あるいは下降操作を行うようにしてもよい。
・ランプ１１ａ，１１ｂは、ハロゲンランプ以外のランプを使用してもよい。
【００３５】
【発明の効果】
以上詳述したように、この発明は二重ガラスサッシの気密性を確保しながら、サッシに内包された電動ブラインドを簡便な構成で制御し得る電動内包ブラインドの制御装置を提供することができる。
【図面の簡単な説明】
【図１】  一実施の形態の電動内包ブラインド示す斜視図である。
【図２】  一実施の形態のライトユニットを示す正面図である。
【図３】  ライトユニットの電気的構成を示す回路図である。
【図４】  電動内包ブラインドの電気的構成を示す回路図である。
【符号の説明】
１          二重ガラスサッシ
２          横型ブラインド
５          スラット
７          モータ
８ａ        第一の太陽電池
８ｂ        第二の太陽電池
１０        照射装置（ライトユニット）
【図１】
0003828414.tif 000002
【図２】
0003828414.tif 000003
【図３】
0003828414.tif 000004
【図４】
0003828414.tif 000005